(57)【要約】【課題】機体カバーのハンドル側カバー部をハンドルの基部左右間に入り込ませて取付ベースを覆うと共に、中カバー部の両側に張出カバー部を形成したことにより、機体カバーの外観を向上させながら、トランスミッションケースへの飛散物の付着を防止することができる移動作業機の機体カバー構造を提供する。【解決手段】ハンドル１６を取付支持すると共に変速レバー４のレバー孔２１等を形成する取付ベース１７に、変速レバー４のガイド溝５を形成した中カバー部３６を有する機体カバー２を取付支持する移動作業機の機体カバー構造であって、前記機体カバー２のハンドル側カバー部３７を取付ベース１７と略同巾に形成すると共に、中カバー部３６の両側に取付ベース１７より外側に向けて張り出す張出カバー部４２を形成した。【選択図】図１
2007261496.tif 000002
【特許請求の範囲】
【請求項１】
ハンドル（１６）を取付支持すると共に変速レバー（４）のレバー孔（２１）等を形成する取付ベース（１７）に、変速レバー（４）のガイド溝（５）を形成した中カバー部（３６）を有する機体カバー（２）を取付支持する移動作業機の機体カバー構造において、前記機体カバー（２）のハンドル側カバー部（３７）を取付ベース（１７）と略同巾に形成すると共に、中カバー部（３６）の両側に取付ベース（１７）より外側に向けて張り出す張出カバー部（４２）を形成したことを特徴とする移動作業機の機体カバー構造。
【請求項２】
機体カバー（２）の張出カバー部（４２）によって、取付ベース（１７）の外側に沿設した操作部材（３３）を覆う構成とした請求項１記載の移動作業機の機体カバー構造。
【発明の詳細な説明】
【技術分野】
【０００１】
本発明は、耕耘機や管理作業機等の変速パネルに利用できる移動作業機の機体カバー構造に関する。
【背景技術】
【０００２】
従来、トランスミッションケースに取付固定されてハンドルを支持すると共に、変速レバーのレバー孔等を形成する取付ベースに、変速レバーのガイド溝等を形成した機体カバーを取付ける移動農機の機体カバー構造は、本願出願人が既に提案した特許文献１に示されるように既に公知である。
【特許文献１】特開平８−３２４２８１号公報
【発明の開示】
【発明が解決しようとする課題】
【０００３】
上記特許文献１の機体カバー構造は、取付ベースに取付支持される機体カバーが、ガイド溝を形成した中カバー部とハンドル側カバー部とを略同巾とし平面視で長方形状に形成され、且つハンドル側カバー部にハンドル挿入用の大きな切欠部を形成しているので、取付ベースより外側に向けて大きく張り出さない機体カバーは、上方から飛散落下する塵埃や泥土等の飛散物を下方のトランスミッションケースに付着させ易い欠点がある。
また作業者が後方からハンドルを把持して前方を見て作業をするとき、主クラッチレバーやアクセルレバー等が備えるワイヤ等の操作部材を、上方から広く覆って隠すことができないので、平面視において操作部材を露出させ外観も損なわせる等の問題がある。
【課題を解決するための手段】
【０００４】
上記課題を解決するために本発明の移動作業機の機体カバー構造は、第１に、ハンドル１６を取付支持すると共に変速レバー４のレバー孔２１等を形成する取付ベース１７に、変速レバー４のガイド溝５を形成した中カバー部３６を有する機体カバー２を取付支持する移動作業機の機体カバー構造において、前記機体カバー２のハンドル側カバー部３７を取付ベース１７と略同巾に形成すると共に、中カバー部３６の両側に取付ベース１７より外側に向けて張り出す張出カバー部４２を形成したことを特徴としている。
【０００５】
第２に、機体カバー２の張出カバー部４２によって、取付ベース１７の外側に沿設した操作部材３３を覆う構成としたことを特徴としている。
【発明の効果】
【０００６】
以上のように構成される本発明は次のような効果を奏することができる。機体カバーのハンドル側カバー部を取付ベースと略同巾状で巾狭状に形成したことにより、ハンドルの基部左右間に入り込ませて取付ベースを覆うことができ外観を向上させることができる。
また中カバー部の両側に取付ベースより外側に向けて張り出す張出カバー部を形成したので、機体カバーによって下方のトランスミッションケースを上方から広く覆って、トランスミッションケースへの飛散物の付着を防止することができる。
【０００７】
取付ベースの外側に沿設した操作部材を、機体カバーの張出カバー部によって上方から覆うので、張出カバー部が操作部材への飛散物の付着を防止すると共に、平面視において操作部材を隠して外観を向上させることができる。
【発明を実施するための最良の形態】
【０００８】
本発明の一実施形態を図面に基づいて説明する。図面において符号１は、本発明に係わ
る機体カバー（変速パネル）２を備えた歩行型の耕耘機（移動作業機）である。また変速案内板２は後述する形状によって機体上部を覆うと共に、トランスミッションケース３から上方に向けて延設される変速レバー４を挿入し変速自在に案内移動させるガイド溝５を有している。
【０００９】
上記耕耘機１は、左右の車輪６を備えるトランスミッションケース３の前部に設けたエンジン台７の上部に、燃料タンク８を組み付けたエンジン９を搭載し、且つトランスミッションケース３の後部に耕耘装置１０を装着している。そして、エンジン９は主クラッチ機構を有するベルト伝動機構９ａを介してトランスミッションケース３に動力を入り切り自在に入力し、車輪６，６及び耕耘装置１０のロータリ部１１を回転駆動する構成となっている。
【００１０】
この耕耘装置１０は、ロータリ部１１を覆う耕耘カバー１２に、該ロータリー部１１の後方で耕耘抵抗を調節する耕耘抵抗棒１１ａを公知の構成によって上下作動自在に取付支持しており、該耕耘抵抗棒１１ａを作動させる操作片１３と前記変速レバー４とを操作杆１５によって連繋接続している。尚、この操作杆１５は後述する取付ベース１７に穿設した操作孔２２に挿入し、その先端部を図示しない連繋機構を介して変速レバー４の操作に基づき連繋作動させる構成となっている。
【００１１】
上記構成においてトランスミッションケース３の上部には、エンジン９と耕耘装置１０との間を覆うと共に、ハンドル１６の左右基部を取付支持する取付ベース１７を取付固定しており、該取付ベース１７に機体カバー２を上方から着脱自在に取付支持している。
次に上記取付ベース１７と機体カバー２とその取付構造等について説明する。先ず取付ベース１７は図５で示すように、ハンドル１６の左右基部の取付け巾を以て断面視で下向きコ字状に形成されたベース本体１９と、該ベース本体１９の中央部から前方に延長させたカバー取付部２０とからなる。
【００１２】
この取付ベース１７は、ベース本体１９の左右の側辺１９ａをトランスミッションケース３の上部にボルトによって強固に取付固定している。尚、ベース本体１９の後端部は耕耘カバー１２と一体的に接続すると、耕耘カバー１２の固定も強固に行うことができる。
取付ベース１７は取付け状態において、ベース本体１９の前後方向に変速レバー４を挿入して変速案内させるレバー孔２１と、操作杆１５を作動自在に挿入する操作孔２２を穿設形成している。そして、両者の間で左右に図３で後述するように機体カバー２の裏側に形成される取付穴２３に係合する取付片２５を上向きに突設している。
【００１３】
尚、図示例の変速レバー４は、トランスミッションケース３から延設される基部側レバー４ａに対し、操作側レバー４ｂを着脱構造を介して連結構成される。これによりトランスミッションケース３に対する取付ベース１７の装着は、操作側レバー４ｂを外した状態の基部側レバー４ａに、レバー孔２１を挿入し簡単に行うことができる。
【００１４】
前記カバー取付部２０は、燃料タンク８の上方に臨む位置まで延長されており、先端部にノブ付きの取付ボルト（固着手段）２６を螺挿するネジ孔（固着部）２７を穿設している。また機体カバー２は上記ネジ孔２７に対向する位置に、取付ボルト２６を挿入する取付孔２９を穿設している。
これにより機体カバー２は、先ず中央部をベース本体１９の取付片２５に対し取付溝２３を係合固定した状態で、取付ボルト２６を取付孔２９に挿入しカバー取付部２０のネジ孔２７に締着することにより、機体カバー２を前後に長いスパンを有して安定よく簡単に装着することができる。
【００１５】
またベース本体１９はトランスミッションケース３から後方に延長した部位の両側辺１
９ａに、左右のハンドル基部をノブ付きの取付ボルト３０によって締着固定をすることができる。これによりハンドル１６は取付ボルト３０の締着及び解除に伴い、該取付ボルト３０を支点に前後（上下）方向に回動してハンドル高さを調節することができる。
このハンドル１６はパイプ等の杆状部材を屈曲形成してループ型となし、二股状の先端部（ハンドル基部）でベース本体１９の両側を挟持した状態で取付固定される。またハンドル１６は後方のループ部に、主クラッチレバー３１及びデフロックレバー３２を入り切り操作可能に設け、且つアクセルレバー３４等を備えている。
【００１６】
そして、主クラッチレバー３１及びデフロックレバー３２，アクセルレバー３４等をそれぞれ備えるワイヤ或いは操作杆等からなる操作部材３３は、ベルト伝動機構９ａ，トランスミッションケース３及びエンジン９等の各操作部と接続している。また操作部材３３はハンドル１６の基部から前方に向けて、ベース本体１９の側面に沿わせ側方に大きくはみ出すことなく沿設し、バンド等の支持部材３５によって束ねた状態で支持される。
【００１７】
上記トランスミッションケース３は、車輪６の走行駆動回転を変速する走行変速機構と、耕耘装置１０のロータリー駆動軸の回転を変速するロータリー変速機構とを内装し、エンジン９の図示しない出力軸からトランスミッションの入力軸に、ベルトテンションクラッチ等からなるメインクラッチを有するベルト伝動機構９ａを介して伝動される。このメインクラッチは従来のものと同様な構造によって、上記ハンドル１６に設置される主クラッチレバー３１の入り切り操作によって作動される。
【００１８】
次に図１〜図４を参照し機体カバー２について説明する。この機体カバー２は合成樹脂成形によって、燃料タンク８の上方を覆うエンジンカバー３４の後辺に近接して取付孔２９を穿設した前カバー部３５と、ガイド溝５と取付溝２３，２３を形成する中カバー部３６と、ハンドル１６の左右基部間に入り込んで取付ベース１７の上面を覆う巾に形成された後カバー部（ハンドル側カバー部）３７とからなり、各カバー部の両側に側壁３９を一連に形成し全体として下向きコ字状の断面形状で一体的に構成される。
【００１９】
図示例の機体カバー２は、側面視において前カバー部３５を上向き傾斜の取付ベース１７に接当させて取付固定される中カバー部３６に対し、略水平面をなすように屈曲形成している。中カバー部３６は中央部にガイド溝５を形成している。また後カバー部３７は中央部を上方に膨出させて下方の操作杆１５を覆う膨出カバー部４０を形成している。
【００２０】
後カバー部３７は図２で示すように平面視において、前記中カバー部３６より巾狭として取付ベース１７の上面を覆う巾Ｈを有する形状とし、ハンドル１６の前後方向の回動を許容する長さのハンドル回動代Ｌを有している。また膨出カバー部４０は開口部４０ａを切欠状に形成し、挿入される操作杆１５を支障なく作動させる大きさにしている。
この構成により後カバー部３７は、ハンドル１６の基部及び操作杆１５等を一体的に覆うと共に、膨出カバー部４０が開口部４０ａの両側で後方に延長される自由端カバー部４１，４１の補強リブとなり、カバー剛性が高められ機体振動によるビビリ音の発生を防止することができる。
【００２１】
そして、中カバー部３６はその両側壁３９を前記後カバー部３７の巾Ｈから外側に張出代Ｓを設けてはみ出させて形成しており、これにより中カバー部３６と前カバー部３５は、取付ベース１７から張出代Ｓを有して張り出す張出カバー部４２を構成している。
【００２２】
以上のように構成される機体カバー構造によれば、トランスミッションケース３に取付固定されてハンドル１６を支持すると共に、変速レバー４のレバー孔２１等を形成する取付ベース１７に、変速レバー４のガイド溝５等を形成した中カバー部３６を有する機体カバー２を簡単に取付支持することができる。
【００２３】
この機体カバー２は、中カバー部３６の両側を取付ベース１７より外側に向けて張り出した張出カバー部４２を形成しているので、機体カバー２によって下方のトランスミッションケース３の側壁も上方から覆うと共に、後カバー部３７を取付ベース１７を覆う巾に形成すると共に、ハンドル１６の左右基部の間に入り込ませて取付ベース１７を前後方向に広く覆うことができる。
【００２４】
従って、機体カバー２の両側に形成される張出カバー部４２は、トランスミッションケース３の上方を広く覆ってゴミや飛散泥土等（以下単に飛散物と言う）が下方のトランスミッションケース３の側壁に直接的に付着することを防止する。
そして、取付ベース１７の外側に沿設される操作部材３３は、張出カバー部４２の下方に近接した状態で上方から覆われるので、ワイヤ類への飛散物の付着を防止し、且つ操作部材３３を隠して機体カバー２の上面しか目に入れないので、外観を向上させることができる。
【００２５】
また機体カバー２は、張出カバー部４２の略中央部でガイド溝５が位置する中カバー部３６の側壁３９を外側に向け湾曲状に膨出させると、下方をより広く覆うことができると共にカバー剛性を高めることができ、ハンドル１６側の後カバー部３７を巾狭とし前方の中カバー部３６及び前カバー部３５を広くするので外観が向上する等の特徴がある。
尚、図示例の機体カバー２は、燃料タンク８とハンドル１６との間の機体上方を覆う構成にしたが、前カバー部３５を前方に延長させ燃料タンク８及びエンジン９も同時に覆うようにすると、エンジン側カバーも兼用することができ機体カバー構造をより簡単で廉価にすることができる。
【図面の簡単な説明】
【００２６】
【図１】本発明に係わる機体カバーを備えた移動作業機の全体構造を示す斜視図である。
【図２】図１の機体カバーの構成を示す平面図である。
【図３】図２の底面図である。
【図４】図２の機体カバーを一部破断をして示す左側面図である。
【図５】取付ベースの構成を示す斜視図である。
【符号の説明】
【００２７】
１    耕耘機（移動作業機）
２    機体カバー
３    トランスミッションケース
４    変速レバー
５    ガイド溝
１６  ハンドル
１７  取付ベース
２１  レバー孔
３３  操作部材
３６  中カバー部
３７  後カバー部（ハンドル側カバー部）
４２  張出カバー部
【図１】
2007261496.tif 000003
【図２】
2007261496.tif 000004
【図３】
2007261496.tif 000005
【図４】
2007261496.tif 000006
【図５】
2007261496.tif 000007